(57)【要約】 【課題】  圧電性を持たない不活性部が全側面近傍には生じず、圧電特性に優れた積層型圧電アクチュエータを提供する。【解決手段】  積層型圧電アクチュエータ１は、圧電セラミック層２と内部電極層３ａ，３ｂを交互に積層し、内部電極層３ａ，３ｂが一層ずつ対向電極である外部電極４に接続した構造を有し、外部電極面８には内部電極層３ａと内部電極層３ｂが重なり合っていない部分で圧電特性を持たない不活性部７を設ける。外部電極面８と直交する側面６には、全面に内部電極層を有した構造とし両極層が露出した構造とする。【選択図】  図１
2008192831.tif 000002
【特許請求の範囲】
【請求項１】
複数枚の圧電材シートと内部電極とを交互に積層し形成した積層型圧電アクチュエータであって、内部電極構造は外部に電極を取り出すために必要な電極側面近傍にのみ部分的に圧電特性を持たない不活性部を有しており且つ、外部に電極を取り出すために必要な電極側面以外の側面近傍には前記圧電特性を持たない不活性部が無く、外部に電極を取り出すために必要な電極側面以外の側面の全面に前記内部電極を露出することを特徴とする積層型圧電アクチュエータ。
【請求項２】
前記外部に電極を取り出すために必要な電極側面以外の側面の露出している内部電極を樹脂で外装した構造からなることを特徴とする請求項１記載の積層型圧電アクチュエータ。
【発明の詳細な説明】
【技術分野】
【０００１】
本発明は、電圧を加えて変位または力を生じさせる積層型圧電アクチュエータに係り、特に、積層型圧電アクチュエータの構造に関する。
【背景技術】
【０００２】
近年、積層型圧電アクチュエータ装置は、電気エネルギーを駆動力に変換する変換効率が高く、小型軽量でありながら発生する駆動力が大きいため、カメラ、計測機器、その他の精密機器の駆動や、位置決めに利用されるようになってきた。
【０００３】
従来の積層型圧電アクチュエータは、水分などによる内部電極の劣化を防ぐ等の耐湿性を考慮し、変位面と直交する側面に内部電極層の片極層が露出しない、または両極層共に、露出しない構造であった（例えば、特許文献１、特許文献２参照）。
【０００４】
図２は、従来の積層型圧電アクチュエータの外観斜視図である。内部電極層の片極層が露出しない場合の従来の積層型圧電アクチュエータ１０１を具体的に説明すると、図２に示すように、従来の積層型圧電アクチュエータ１０１は、圧電セラミックス層１０２と内部電極層１０３ａ，１０３ｂを交互に積層し、内部電極層１０３ａ，１０３ｂが一層ずつ対向電極である外部電極１０４に接続した構造を有している。上下方向に隣り合う内部電極層１０３ａ，１０３ｂは、左右方向に交互にずらされており、一つの内部電極層１０３ａは一方の外部電極１０４にのみに接続され、他方の外部電極１０４には接続されていない。内部電極層１０３ａ，１０３ｂの一つの面積は、圧電セラミック層１０２の面積より小さくなっており、内部電極層１０３ａ，１０３ｂが外部電極１０４に接続されていない積層型圧電アクチュエータの側面１０６には、片極層が露出した内部電極層１０３ａと、他の片極層が露出していない内部電極層１０３ｂとから形成されていた。
【０００５】
【特許文献１】特開２０００−２７０５６８号公報
【特許文献２】特開２００１−２８４６６７号公報
【発明の開示】
【発明が解決しようとする課題】
【０００６】
しかしながら、従来の積層型圧電アクチュエータ１０１において、変位面１０５と直交する側面１０６に内部電極層１０３ｂが露出せず、片極層が露出しない（内部電極層１０３ａと内部電極層１０３ｂの両極層共露出しない場合も同様）構造では、圧電特性を持たない不活性部１０７が全ての側面１０６に生じるため、内部電極層の面積が小さくなり、圧電特性が低下するという問題があった。
【０００７】
本発明は、以上の点に鑑みてなされたものであり、圧電特性を持たない不活性部が全ての側面には生じず、圧電特性に優れた積層型圧電アクチュエータを提供することを目的とする。
【課題を解決するための手段】
【０００８】
前述した目的を達成するために本発明は、複数枚の圧電材シートと内部電極とを交互に積層し形成した積層型圧電アクチュエータであって、内部電極構造は外部に電極を取り出すために必要な電極側面近傍にのみ部分的に圧電特性を持たない不活性部を有しており且つ、外部に電極を取り出すために必要な電極側面以外の側面近傍には前記圧電特性を持たない不活性部が無く、外部に電極を取り出すために必要な電極側面以外の側面の全面に前記内部電極を露出することを特徴とする積層型圧電アクチュエータである。
【０００９】
また、本発明は、前記外部に電極を取り出すために必要な電極側面以外の側面の露出している内部電極を樹脂等で外装した構造からなることを特徴とする積層型圧電アクチュエータである。
【発明の効果】
【００１０】
本発明は、圧電特性を持たない不活性部が全側面の近傍に生じず、圧電特性に優れた積層型圧電アクチュエータを提供することができる。外部に電極を取り出すために必要な電極側面以外の側面には前記圧電特性を持たない不活性部が無く、外部に電極を取り出すために必要な電極側面以外の側面の全面に内部電極を有するため、圧電特性のロスが少ない構造となり、圧電特性が安定し、信頼性が向上する。
【発明を実施するための最良の形態】
【００１１】
以下に、添付図面を参照しながら、本発明に係る積層型圧電アクチュエータの好適な実施の形態について詳細に説明する。
【００１２】
図１は、本実施の形態に係る積層型圧電アクチュエータの外観構成を示す外観斜視図である。図１に示すように、積層型圧電アクチュエータ１には、圧電材シートである圧電セラミック層２、内部電極層３ａ，３ｂ、外部電極４、リード線９等を備える。なお、図１は、積層型圧電アクチュエータの一例である。積層型圧電アクチュエータ１は、圧電セラミック層２と内部電極層３ａ，３ｂを交互に積層し、内部電極層３ａ，３ｂが一層ずつ対向電極である外部電極４に接続した構造を有する。正極の電極だけ、又は負極の電極だけが露出した面を積層型圧電アクチュエータ１の端面に形成し、その面上に外部電極４を形成して電気的接続を行う。外部電極４は外部への電力取り出し用としての機能を有しており、その外部電極４が設置された外部電極面８には、内部電極層３ａと内部電極層３ｂが重なり合っていない部分で圧電特性を持たない不活性部７を設ける。外部電極面８と直交する側面６には、全面に内部電極層を有した構造とし、両極層が露出した構造として焼成する。
【００１３】
更に、リード線９を外部電極４上に半田付けにより電気接続し、変位面５と直交する全ての側面６に樹脂等で外装を施し、湿度対策、カケ、クラック、キズ対策を行う。
【００１４】
以上説明したように、本発明の実施の形態によれば、積層型圧電アクチュエータ１は、内部電極構造が外部に電極を取り出すために必要な電極側面である外部電極面８にのみ部分的に圧電特性を持たない不活性部７を有しており、外部電極面８と直交する側面６には圧電特性を持たない不活性部７が無く、全面に内部電極層を有した構造で、両極層が露出した構造とする。
【００１５】
これにより、外部電極面に直交する側面には不活性な部分が無く、外部に電極を取り出すために必要な電極側面の全面に内部電極を有することにより、圧電特性のロスが少ない積層型圧電アクチュエータ構造となり、圧電特性が安定し、信頼性が向上するという効果を奏する。
【００１６】
なお、本発明の技術的範囲は、前述した実施の形態に限定されるものではなく、実施の形態の種々の改変、変形等も本発明の技術的範囲に含まれる。
【図面の簡単な説明】
【００１７】
【図１】本実施の形態に係る積層型圧電アクチュエータの外観構成を示す外観斜視図。
【図２】従来の積層型圧電アクチュエータの外観斜視図。
【符号の説明】
【００１８】
１    積層型圧電アクチュエータ
２、１０２    圧電セラミック層
３ａ、３ｂ、１０３ａ、１０３ｂ    内部電極層
４、１０４    外部電極
５、１０５    変位面
６、１０６    側面
７、１０７    不活性部
８、１０８    外部電極面
９    リード線
１０１    従来の積層型圧電アクチュエータ
【図１】
2008192831.tif 000003
【図２】
2008192831.tif 000004